(57)【要約】      （修正有）【課題】庫内の送風経路に簡単な構造変更を加えるだけで、蒸発コイルユニットに接続してユニットの側方に引回し配管した冷媒配管路に対するアイスバンクの発生，異常成長を効果的に抑止できるように改良したショーケースのアイスバンク対策を提供する。【解決手段】ケース本体の庫内に画成した冷気循環通風路にフィンチューブ形の蒸発コイルユニット４，およびその入口側にファン６を搭載したファンプレナム５を配し、ファンプレナム，蒸発コイルユニットを経由して庫内に冷気を循環送風する冷気循環式のショーケースにおいて、前記ファンプレナムの風胴側壁に風抜き穴５ａを穿孔するとともに、該風抜き穴に対向して風胴の外側に風向板１３を付設し、保冷運転中は前記風抜き穴を通じて風胴の側方に吹き出した空気を、蒸発コイルの側方空間に引回し配管した冷媒管路に導風してその冷媒配管路の着霜、アイスバンクの発生を抑止する。【選択図】図１
2007010294.tif 000002
【特許請求の範囲】
【請求項１】
ケース本体の庫内に画成した冷気循環通風路にフィンチューブ形の蒸発コイルユニット，およびその入口側にファンを搭載したファンプレナムの風胴を配し、ファンプレナム，蒸発コイルユニットを経由して庫内に冷気を循環送風する冷気循環式のショーケースにおいて、
前記ファンプレナムの風胴側壁に風抜き穴を穿孔し、該風抜き穴を通じて風胴の側方に吹き出した空気を、蒸発コイルの側方に引回し配管した冷媒管路に向けて導風するようにしたことを特徴とするショーケース。
【請求項２】
請求項１記載のショーケースにおいて、ファンプレナムの風胴側壁に、風抜き穴を通じて吹き出した空気を冷媒管路に誘導する風向板を付設したことを特徴とするショーケース。
【発明の詳細な説明】
【技術分野】
【０００１】
本発明は冷気循環式のショーケースに関し、詳しく庫内の冷気循環通風路に配した蒸発コイルユニットの冷媒配管路に対するアイスバンク対策に係わる。
【背景技術】
【０００２】
周知のように、頭記の冷気循環式ショーケースは、ケース本体の庫内に画成した冷気循環通風路に冷凍機の蒸発コイルユニット（エバポレータ）およびその入口側にファンプレナムを配し、蒸発コイルユニットと熱交換した冷気を冷気循環通風路から庫内前面に冷気エアカーテンとして吹き出して陳列商品を保冷するようにしている。
次に、オープンショーケースを例に冷気循環式ショーケースの構成概要を図２に示す。図において、１は断熱筐体になる前面開放形のケース本体の外箱、２は内箱、３は内箱２を取り巻いて外箱との間に画成した冷気循環通風路、４は冷気循環通風路３の底部域に配置したフィンチューブ形の蒸発コイルユニット、５は蒸発コイルユニット４の入口側（上流側）に並置したファンプレナム、６はファンプレナム５に搭載したファン、７は庫内の上部前面に開口した冷気循環通風路３の冷気吹出口、８は冷気吸込口、９は商品陳列棚、１０は庫内底部に配したデッキパンであり、保冷運転時には図示矢印のように冷気循環通風路３を通じて庫内前面の開口部に冷気エアカーテンを吹き出しして庫内を保冷する。
【０００３】
かかる冷気循環式のショーケースでは、保冷運転の時間経過とともに蒸発コイルユニット４で発生した霜がフィン，冷媒チューブに着霜して保冷性能を低下させることから、周期サイクルで保冷運転から除霜運転に切り換え、補助ヒータで加熱昇温した温風（除霜空気）を蒸発コイルユニット４に流して除霜を行うようにしている。
また、上記のショーケースには、前記した蒸発コイルユニット４の除霜のほかに、蒸発コイルユニットに接続して該ユニット本体の側方に引回し配管した冷媒パイプ，膨張弁の冷媒配管路対する着霜，アイスバンクの成長を抑止する対策が講じられている。
すなわち、ショーケースと別置した冷凍機のコンデンシングユニットとショーケースの前記蒸発コイルユニットとの間を接続する冷媒配管は、先記の冷気循環通風路から分離して蒸発コイルユニットの左右端面とケース本体の側壁との間に画成された側方空間に引回し配管されており、この冷媒配管路（特に膨張弁を含む吐出配管路）には、保冷運転中に霜，アイスバンク（氷結ブロック）が発生する。しかも、ここに生成したアイスバンクが除霜時に完全に溶解しないで溶け残りがあると、この溶け残りを核として次の保冷運転でアイスバンクがさらに成長し、遂には蒸発コイルユニットを押圧して変形，破損させるなどのトラブルに進展するおそれがある。
【０００４】
そこで、従来のショーケースでは、アイスバンク対策として、蒸発コイルユニットを通過した循環空気流の一部をユニット吐出側から抽出し、前記冷媒管路を引回し配管した側方空間に流して着霜，アイスバンクの発生，成長を抑止するようにようにている（例えば、特許文献１参照）。
【特許文献１】実公昭５８−３０３０号公報
【発明の開示】
【発明が解決しようとする課題】
【０００５】
ところで、前記した従来のアイスバンク対策では次記のような問題点がある。すなわち、メーカーで製作するショーケースは、標準周囲条件の下でアイスバンクの発生，成長を抑止するように設計しているものの、ショーケースを設置するロケーション先の環境（店内の温度，湿度，季節など）によっては溶け残りのアイスバンクが異常に成長することが製品納入の実績からも知見されており、この観点から従来方式よりも高性能なアイスバンク対策が求められている。
本発明は上記の点に鑑みなされたものであり、先記のアイスバンク対策として、庫内の送風経路に簡単な構造変更を加えるだけで、蒸発コイルユニットに接続した冷媒配管路（冷媒の吐出側パイプ，膨張弁）に対するアイスバンクの発生，異常な成長を効果的に抑止できるように改良したショーケースを提供することを目的とする。
【課題を解決するための手段】
【０００６】
上記目的を達成するために、本発明によれば、ケース本体の庫内に画成した冷気循環通風路にフィンチューブ形の蒸発コイルユニット，およびその入口側にファンを搭載したファンプレナムの風胴を配し、ファンプレナム，蒸発コイルユニットを経由して庫内に冷気を循環送風する冷気循環式のショーケースにおいて、
前記ファンプレナムの風胴側壁に風抜き穴を穿孔し、該風抜き穴を通じて風胴の側方に吹き出した空気を、蒸発コイルの側方空間に引回し配管した冷媒管路に向けて導風するように構成する（請求項１）。
また、ファンプレナムの風胴側壁に風向板を付設し、前記風抜き穴を通じて側方に吹き出した空気を冷媒配管路に向けて効率よく誘導するようにする（請求項２）。
【発明の効果】
【０００７】
上記構成によれば、ショーケースの保冷運転時に庫内側から回収して蒸発コイルユニットにファン送風する空気（蒸発コイルユニットで冷却する以前の昇温状態にある空気流）の一部を、蒸発コイルユニットよりも上流側（手前側）に配したファンプレナムの風胴から風抜き穴を通じて側方に抽出（ファンプレナムの内外圧力差を利用）して蒸発コイルユニットに接続した冷媒配管路の周域に流し、この空気流を冷媒供給パイプ，膨張弁に当ててアイスバンクの発生，成長を抑止させるようにする。これにより、蒸発コイルユニットを通過した後の低温空気を冷媒配管路に流すようにした従来方式と比べて、アイスバンクの発生，成長を効率よく抑止できる。
しかも、ファンプレナムの風胴側壁に風抜き穴を穿孔するだけの簡単な構造変更だけで対応できる。また、風抜き穴に風向板を組み合わせることにより、風胴から側方に吹き出した空気がファンの吸込側に逆流するのを防いで、冷媒パイプ，膨張弁に向けて導風できる。
【発明を実施するための最良の形態】
【０００８】
以下、本発明の実施の形態を図１（ａ），（ｂ）に示す実施例に基づいて説明する。なお、実施例の図中で図２に対応する部材には同じ符号を付してその説明は省略する。
すなわち、図示のようにショーケースの内部には、冷気循環通風路と分離して蒸発コイルユニット４およびファンプレナム５の側面とケース本体１の側壁との間に画成されている側方空間を通して、蒸発コイルユニット４と冷凍機のコンデンシングユニット（図示せず）との間を接続する冷媒配管１１が膨張弁１２とともに配管されている。そして、この冷媒配管路に対するアイスバンク対策として、図示実施例ではファン６を搭載したファンプレナム５の風胴側壁（冷媒配管路に対向する側の側壁）に風抜き穴５ａを開口し、さらにこの風抜き穴５ａに対向して風胴側壁の外面には下流側に向けて斜めに張り出す風向板１３が付設されている。
【０００９】
上記の構成で、ショーケースの保冷運転時には、庫内側から吸い込んだ空気がファン６により図示矢印のように送風される。ここで、空気流の大半はファンプレナム５を通過してそのまま下流側の蒸発コイルユニットに送風されるが、空気流の一部はファンプレナム５の風胴側壁に開口した風抜き穴５ａを通じて側方に吹き出し（ファンプレナム５の内圧はファン送風により昇圧している）、さらに風向板１３により風の向きを下流側に変えて前記冷媒配管１１の周域に導風される。
ここで、冷媒配管１１の周域に流れる空気流は蒸発コイルユニット４を通流する前の昇温状態（蒸発コイルユニット４を通過する前の空気温度と通過後の空気温度は、ショーケースの機種によってもことなるが、大凡５〜１０℃程度の温度差がある）にあり、この昇温空気流を冷媒配管１１，膨張弁１２に洗流させることにより、先記の特許文献１に開示されている方式と比べて、より一層効果的に着霜，アイスバンク発生，成長を抑止できる。なお、冷媒配管路を通流した空気流は蒸発コイルユニット４を通過した冷気と合流し、冷気循環通風路を通じて庫内に吹き出すように循環送風される。
【図面の簡単な説明】
【００１０】
【図１】本発明の実施例による要部構造図で、（ａ）は側面図、（ｂ）は平面図
【図２】冷気循環式オープンショーケースの構成概要図
【符号の説明】
【００１１】
１    ケース本体
３    冷気循環通風路
４    蒸発コイルユニット
５    ファンプレナム
５ａ  風抜き穴
６    ファン
１１    冷媒配管
１２    膨張弁
１３    風向板
【図１】
2007010294.tif 000003
【図２】
2007010294.tif 000004